(57)【要約】【課題】撮影時の色温度情報だけでなく、撮影時の色空間情報を記録することができる固体撮像装置を提供。【解決手段】ディジタルカメラ１０は、ディジタル処理部６４においてＲＡＷモードで供給される生の画像データ５６をホワイトバランス判定回路７８に入力し、ホワイトバランスゲイン９４を色温度情報として求め、データバス５８を介して画像データ５６およびホワイトバランスゲイン９４をＩＦ（ＩｎｔｅｒＦａｃｅ）部６８に出力し、また、システム制御部から供給されるリニアマトリクス係数９２をデータバス５８を介してＩＦ部６８に供給し、ＩＦ部６８で記録フォーマット等に調整して制御信号７４に応じてストレージ３２にこれら３種類のデータ１１２として記録する。【選択図】        図１
2004320148.tif 000002
【特許請求の範囲】
【請求項１】
撮影により得られた画像データを再生する画像再生装置において、該装置は、
撮影において設定された色空間に前記画像データを変換する複数の係数で表される第１の色空間情報および第１の色空間情報に対して最適な色温度情報を前記画像データとともに読み出す読出し手段と、
第１の色空間情報に基づいて前記画像データを補正する第１の色空間補正手段と、
前記色温度情報に基づいて第１の色空間補正手段からの画像データを補正する色温度補正手段と、
該装置において新たに設定する色空間に前記画像データを変換する複数の係数で表される第２の色空間情報に基づいて前記色温度補正手段からの画像データを補正する第２の色空間補正手段とを含むことを特徴とする画像再生装置。
【請求項２】
請求項１に記載の装置において、第１の色空間情報は、前記撮影にてメーカ側が提案する色空間の標準規格を含み、第２の色空間情報は、該装置のユーザが所望の色空間であることを特徴とする画像再生装置。
【請求項３】
被写界からの入射光を電気信号に変換する複数の受光素子が配設された撮像手段に入射させ、該撮像手段から出力される撮像信号をディジタル化し、該ディジタル化した生の撮像データを記録するＲＡＷモードを有する固体撮像装置において、該装置は、
前記撮像データを基に該撮像データにおける色温度を調整し、該色温度の調整が良好か否かを判定し、該判定結果として得られる色温度を反映したゲイン調整情報を出力する調整判定手段と、
前記生の撮像データとともに、撮影において使用する色空間に前記生の撮像データを変換する複数の係数を含む色空間情報および前記ゲイン調整情報を所定の記録形式に調整する記録調整手段と、
前記調整判定手段および前記記録調整手段を制御するシステム制御手段とを含むことを特徴とする固体撮像装置。
【請求項４】
請求項３に記載の装置において、該装置は、撮影において使用する色空間の色空間情報に応じて前記撮像データを補正する色空間補正手段と、
前記調整の判定結果にともない出力されるゲイン調整情報を基に前記色空間補正手段からの撮像データを補正するゲイン補正手段とを含むことを特徴とする固体撮像装置。
【請求項５】
被写界からの入射光を電気信号に変換する複数の受光素子が配設された撮像手段に入射させ、該撮像手段から出力される撮像信号をディジタル化し、該ディジタル化した生の撮像データを記録するＲＡＷモードを有する固体撮像装置の機能と、該ＲＡＷモードにより得られた撮像データを画像データとして再生する画像再生装置の機能とを含む固体撮像システムにおいて、該システムは、
前記撮像データを基に該撮像データにおける色温度を調整し、該色温度の調整が良好か否かを判定し、該判定結果として得られる色温度を反映した色温度情報としてのゲイン調整情報を出力する調整判定手段と、
前記ＲＡＷモードに応じて生の撮像データとともに、撮影において使用する色空間に前記生の撮像データを変換する複数の係数を含む第１の色空間情報および前記ゲイン調整情報を所定の記録形式に調整して、記録および再生を行う書込み／読出し手段と、
第１の色空間情報に基づいて前記画像データを補正する第１の色空間補正手段と、
前記ゲイン調整情報に基づいて第１の色空間補正手段からの画像データを補正する色温度補正手段と、
該システムにおいて新たな設定の色空間に前記画像データを変換する複数の係数で表される第２の色空間情報に基づいて前記色温度補正手段からの画像データを補正する第２の色空間補正手段と、
前記調整判定手段、前記書込み／読出し手段、前記色温度補正手段、ならびに第１および第２の色空間補正手段を制御するシステム制御手段とを含むことを特徴とする固体撮像システム。
【請求項６】
請求項５に記載のシステムにおいて、第１の色空間情報は、前記撮影にてメーカ側が提案する色空間の標準規格を含み、第２の色空間情報は、該装置のユーザが所望の色空間であることを特徴とする固体撮像システム。
【請求項７】
請求項５または６に記載のシステムにおいて、該システムは、撮影において使用する第１の色空間情報に応じて前記撮像データを補正するリニア補正手段と、
前記調整の判定結果にともない出力されるゲイン調整情報を基に前記色空間補正手段からの撮像データを補正するゲイン補正手段とを含むことを特徴とする固体撮像システム。
【発明の詳細な説明】
【０００１】
【発明の属する技術分野】
本発明は画像再生装置に関し、とくに、撮影における色空間の設定と再生における色空間の設定とが異なる画像データに適用して好適な画像再生装置に関するものであり、本発明は固体撮像装置に関し、とくに、ディジタル化した生の撮像データを記録するモードを備える画像入力装置等に用いて好適なものであり、また、本発明は固体撮像システムに関するものであり、設定した色空間により生の撮像データを画像データとして記録し、この画像データを所望の色空間で再生するディジタルカメラ等に適用して好適なものである。
【０００２】
【従来の技術】
ディジタルカメラ等の画像入力装置は、撮影された画像データの記録において画像データに信号処理を施して記録する場合と、撮像された生の画素データを画像データとして直接記録する場合とがある。後者の場合、たとえば再生装置として機能するパーソナルコンピュータにおいてアプリケーションソフトウェアを実行して画像を生成している。
【０００３】
この場合における画像の生成方法においてホワイトバランスの調整は、適切な画像処理を生のデータに行う上で重要である。この調整には、再生装置のモニタにプレビュー画像として画像データを表示させ、画像を確認しながらマニュアル操作による方法と、撮影時に判断されたホワイトバランス情報に基づいて行う方法とがある。ホワイトバランス情報は、オートマチックのモードにおいて得られる場合やユーザ設定モードにおいて得られる場合等がある。
【０００４】
特開平７−２３１４１８号公報に記載の静止画画像処理装置は、撮影時にカメラが設定した絞り情報およびカメラが判断した色温度情報を再生装置に伝えるためこれらの情報を生の画素データとともに、記録する。これらの情報は、画素データに対して付加情報として記録される。静止画画像処理装置は、再生時に画像データとともに、色温度情報（ホワイトバランス情報）を読み取り、撮影時に判断されたホワイトバランスに補正して撮影時の画像を再現している。
【０００５】
【特許文献１】
特開平７−２３１４１８号公報。
【０００６】
【発明が解決しようとする課題】
ところで、ディジタルカメラにおいて現在、生の画像データ記録は、記録モードの一つに過ぎないことが多い。このような観点の延長として、生の画像データを記録するＲＡＷモードを有するディジタルカメラにおいても、カメラ単体で完成画像の作成することが求められてきている。ディジタルカメラは、この要求に応じてカメラ単体で最適な色空間の画像が得られるように設計されている。ディジタルカメラは、この色空間に最適化されたホワイトバランスとなるように判断している。
【０００７】
再生装置は、この生の画像データ、絞り情報および色温度情報を基に撮影時の画像を再現しようとしても、ホワイトバランスの崩れた画像を生成してしまうことがある。これは、再生装置の色空間とカメラで設定している最適な色空間とが異なる場合に生じる。また、再生装置は、ユーザの希望に応じて色空間を自由に変更できる機能を備えている場合が多い。したがって、再生装置は、この変更により設定した任意の色空間で画像を再生すると、ホワイトバランスの崩れが生じる。記録されている色温度情報は、カメラの色空間だけに最適化しているからである。
【０００８】
本発明はこのような従来技術の欠点を解消し、撮影時の色温度情報だけでなく、撮影時の色空間情報をも考慮して画像を再生することができる画像再生装置を提供することを目的とする。
【０００９】
また、本発明はこのような従来技術の欠点を解消し、撮影時の色温度情報だけでなく、撮影時の色空間情報を記録することができる固体撮像装置を提供することを目的とする。
【００１０】
さらに、本発明はこのような従来技術の欠点を解消し、撮影時の色温度情報だけでなく、撮影時の色空間情報を記録し、撮影時の色空間情報をも考慮して画像を再生することができる固体撮像システムを提供することを目的とする。
【００１１】
【課題を解決するための手段】
本発明は上述の課題を解決するために、撮影により得られた画像データを再生する画像再生装置において、この装置は、撮影において設定された色空間に画像データを変換する複数の係数で表される第１の色空間情報および第１の色空間情報に対して最適な色温度情報を画像データとともに読み出す読出し手段と、第１の色空間情報に基づいて画像データを補正する第１の色空間補正手段と、色温度情報に基づいて第１の色空間補正手段からの画像データを補正する色温度補正手段と、この装置において新たに設定する色空間に前記画像データを変換する複数の係数で表される第２の色空間情報に基づいて色温度補正手段からの画像データを補正する第２の色空間補正手段とを含むことを特徴とする。
【００１２】
本発明の画像再生装置は、画像データとともに記録されている第１の色空間情報と色温度情報を読出し手段により読み出して、第１の色空間補正手段に第１の色空間情報を供給して画像データの色空間を撮影時の設定にして、色温度補正手段に供給される色温度情報を基に撮影時に設定されていた色空間の画像データに対する色温度を補正し、この補正後の画像データに第２の色空間補正手段で第２の色空間情報を基に色空間を変換することにより、再生した画像に生じるホワイトバランスの崩れを起こし難くすることができる。
【００１３】
また、本発明は上述の課題を解決するために、被写界からの入射光を電気信号に変換する複数の受光素子が配設された撮像手段に入射させ、この撮像手段から出力される撮像信号をディジタル化し、このディジタル化した生の撮像データを記録するＲＡＷモードを有する固体撮像装置において、この装置は、撮像データを基にこの撮像データにおける色温度を調整し、この色温度の調整が良好か否かを判定し、この判定結果として得られる色温度を反映したゲイン調整情報を出力する調整判定手段と、生の撮像データとともに、撮影において使用する色空間に生の撮像データを変換する複数の係数を含む色空間情報およびゲイン調整情報を所定の記録形式に調整する記録調整手段と、調整判定手段および記録調整手段を制御するシステム制御手段とを含むことを特徴とする。
【００１４】
本発明の固体撮像装置は、システム制御手段により調整判定手段および記録調整手段を制御し、調整判定手段でゲイン調整情報を求めて記録調整手段に送り、記録調整手段でＲＡＷモードに応じて生の撮像データ、ゲイン調整情報および撮影で設定されていた色空間情報を記録することにより、色空間情報が未設定の生の撮像データと撮影時に設定されていた色空間情報を基に求めたゲイン調整情報との関係を示す情報として色空間情報を再生時に提供することができる。
【００１５】
さらに、本発明は上述の課題を解決するために、被写界からの入射光を電気信号に変換する複数の受光素子が配設された撮像手段に入射させ、この撮像手段から出力される撮像信号をディジタル化し、このディジタル化した生の撮像データを記録するＲＡＷモードを有する固体撮像装置の機能と、このＲＡＷモードにより得られた撮像データを画像データとして再生する画像再生装置の機能とを含む固体撮像システムにおいて、このシステムは、撮像データを基にこの撮像データにおける色温度を調整し、この色温度の調整が良好か否かを判定し、この判定結果として得られる色温度を反映した色温度情報としてのゲイン調整情報を出力する調整判定手段と、ＲＡＷモードに応じて生の撮像データとともに、撮影において使用する色空間に生の撮像データを変換する複数の係数を含む第１の色空間情報およびゲイン調整情報を所定の記録形式に調整して、記録および再生を行う書込み／読出し手段と、第１の色空間情報に基づいて画像データを補正する第１の色空間補正手段と、ゲイン調整情報に基づいて第１の色空間補正手段からの画像データを補正する色温度補正手段と、このシステムにおいて新たな設定の色空間に画像データを変換する複数の係数で表される第２の色空間情報に基づいて色温度補正手段からの画像データを補正する第２の色空間補正手段と、調整判定手段、書込み／読出し手段、色温度補正手段、ならびに第１および第２の色空間補正手段を制御するシステム制御手段とを含むことを特徴とする。
【００１６】
本発明の固体撮像システムは、システム制御手段の制御に応じて各制御対象を動作させて、調整判定手段でゲイン調整情報を求めて書込み／読出し手段に送り、書込み／読出し手段でＲＡＷモードに応じて生の撮像データ、ゲイン調整情報および撮影で設定されていた色空間情報を記録して、色空間情報が未設定の生の撮像データと撮影時に設定されていた色空間情報を基に求めたゲイン調整情報との関係を示す情報として色空間情報を再生時に提供し、再生に応じて書込み／読出し手段を介して第１の色空間情報と色温度情報を読み出して、第１の色空間補正手段に第１の色空間情報を供給して画像データの色空間を撮影時の設定にして、色温度補正手段に供給される色温度情報を基に撮影時に設定されていた色空間の画像データに対する色温度を補正し、この補正後の画像データに第２の色空間補正手段で第２の色空間情報を基に色空間を変換することにより、再生した画像に生じるホワイトバランスの崩れを起こし難くすることができる。
【００１７】
【発明の実施の形態】
次に添付図面を参照して本発明による固体撮像装置の実施例を詳細に説明する。
【００１８】
本実施例は、本発明の固体撮像装置をディジタルカメラ１０に適用した場合である。本発明と直接関係のない部分について図示および説明を省略する。以下の説明で、信号はその現れる接続線の参照番号で指示する。
【００１９】
ディジタルカメラ１０は、図２に示すように、光学系１２、絞り調節機構１４、撮像部１６、前処理部１８、信号処理部２０、システム制御部２２、操作部２４、タイミング信号発生器２６、ドライバ２８、モニタ３０およびストレージ３２を含んでいる。
【００２０】
光学系１２は、絞り調節機構１４の他に、図示しないがメカニカルシャッタ、光学系レンズ、ズーム機構、およびオートフォーカス（ＡＦ：  Ａｕｔｏｍａｔｉｃ  Ｆｏｃｕｓ）調節機構を含む。光学系１２は、光学レンズを上述した各種の機構を調整して入射光を撮像部１６に送る機能を有している。
【００２１】
ズーム機構は、図示しないが被写界の画角を調整する。ＡＦ調節機構は、複数の光学レンズの配置を自動的に変位調節して被写体を焦点の合った位置関係に調節する機構である。機構のそれぞれには、上述した位置に光学レンズを移動させるためモータが配設されている。これらの機構は、各モータにドライバ２８からそれぞれ供給される駆動信号３４に応動して動作している。
【００２２】
絞り調節機構１４は、具体的に図示しないが入射光量を調節するＡＥ（Ａｕｔｏｍａｔｉｃ  Ｅｘｐｏｓｕｒｅ）調節機構であり、ドライバ２８からの駆動信号３６に応じてリング部を回転させる。リング部は、羽根を部分的に重ならせてアイリスの形状を丸く形成し、入射する光束を通すようにアイリスを形成する。このようにして絞り調節機構はアイリスの口径を変えている。絞り調節機構１４は、メカニカルシャッタをレンズシャッタとして光学系レンズに組み込んでもよい。
【００２３】
メカニカルシャッタは、撮像部１６に撮影のとき以外に光が照射されないように遮光するとともに、露光の開始と終了により露光時間を決める機能を有している。メカニカルシャッタには、たとえば一眼レフカメラで使用されているようなフォーカルプレン式がある。この方式は、シャッタ幕が縦または横に走り、この瞬間にできるスリットで露光を行うものである。また、上述したようにレンズシャッタ式を用いてもよい。メカニカルシャッタは、たとえば絞り調節機構１４内に設けられている場合、ドライバ２８から供給される駆動信号３６に応じてシャッタを開閉させるようにするとよい。
【００２４】
撮像部１６は、光学ローパスフィルタ３８および色フィルタ４０が入射光側に配され、色フィルタセグメントに対応して入射光を光電変換する固体撮像素子４２を備えている。光学ローパスフィルタ３８は、入射光の空間周波数をナイキスト周波数以下にするフィルタである。色フィルタ４０については後段でさらに説明する。固体撮像素子４２は、電荷結合素子（ＣＣＤ：  Ｃｈａｒｇｅ  Ｃｏｕｐｌｅｄ  Ｄｅｖｉｃｅ）で蓄積した信号電荷を垂直転送路に読み出すトランスファゲート（ＴＧ：  Ｔｒａｎｓｆｅｒ  Ｇａｔｅ）が配設されている。固体撮像素子４２にもドライバ２８から駆動信号４４が供給されている。駆動信号４４は、固体撮像素子４２の動作モードに応じた水平駆動信号、垂直駆動信号およびＯＦＤ（Ｏｖｅｒ  Ｆｌｏｗ  Ｄｒａｉｎ）信号等である。撮像部１６は、固体撮像素子４２から得られたアナログ電圧信号４６を前処理部１８に出力する。固体撮像素子４２は、ＣＣＤに限定されるものでなく、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）でもよい。
【００２５】
色フィルタ４０には、たとえば３原色ＲＧＢの色フィルタセグメントが配されている。色フィルタ４０は、単板であり、色フィルタセグメントの配置パターンに応じて各色の空間周波数が決まる。配置パターンは、適切な配置を採ることによりエリアシングによるしみや偽色等の発生を抑える効果を有する。
【００２６】
前処理部１８には、アナログ回路４８およびＡ／Ｄ変換器（Ａｎａｌｏｇ−ｔｏ−Ｄｉｇｉｔａｌ  Ｃｏｎｖｅｒｔｅｒ）５０が含まれている。アナログ回路４８は、図示しないが、ノイズ除去に相関二重サンプリング（Ｃｏｒｒｅｌａｔｅｄ  Ｄｏｕｂｌｅ  Ｓａｍｐｌｉｎｇ：  ＣＤＳ）回路およびゲイン調整アンプ（ＧＣＡ：  Ｇａｉｎ−Ｃｏｎｔｒｏｌｌｅｄ  Ａｍｐｌｉｆｉｅｒ）を含む。ＣＤＳ回路には、タイミング信号発生器２６からサンプリング信号としてＣＤＳパルス５２が供給され、Ａ／Ｄ変換器５０には、変換クロック信号５４が供給されている。前処理部１８は、供給されるアナログ信号４６に対してノイズ除去、波形整形、ディジタル化を行って得られた撮像データのすべてをディジタルデータ（画像データ）５６としてデータバス５８を介して信号処理部２０に出力する。
【００２７】
信号処理部２０は、メモリ制御部６０、メインメモリ６２、ディジタル処理部６４、圧縮伸長処理部６６、ＩＦ（ＩｎｔｅｒＦａｃｅ）部６８および表示制御部７０を含む。  信号処理部２０は、制御バス７２を介してシステム制御部２２から供給される制御信号７４に応じて制御される。メモリ制御部６０は、制御信号７４に応じて画像データ５６をメインメモリ６２に対する書込み／読出しの制御やメインメモリ６２に対するリフレッシュ制御等を行う機能を有する。メインメモリ６２には、たとえばＳＲＡＭ（Ｓｔａｔｉｃ  Ｒａｎｄｏｍ  Ａｃｃｅｓｓ  Ｍｅｍｏｒｙ）等のメモリが用いられる。
【００２８】
ディジタル処理部６４は、供給された画像データ５６に対して複数のディジタル処理を施す機能を有する。本実施例におけるディジタル処理部６４は、図１に示すように、リニアマトリクス（ＭＴＸ：ＭａＴｒｉＸ）回路７６、ホワイトバランス判定回路７８、ゲイン補正回路８０、ガンマ補正回路８２、ＲＧＢ補間回路８４、ＹＣ変換回路８６、輪郭補正回路８８および色差ＭＴＸ回路９０を含んでいる。ディジタル処理部６４には、メインメモリ６２に一時格納された画像データ５６を読み出し、データバス５８を介して画像データ５６が供給される。
【００２９】
リニアＭＴＸ回路７６は、システム制御部２２から供給される所定のリニアマトリクス係数９２を基に供給される画像データ５６に対するＲＧＢの色空間を変換する演算機能を有する。所定のリニアマトリクス係数９２は、一般的に企業が提案したいくつかある色空間の内、ディジタルカメラ１０にて採用した一つの色空間に変換する係数である。所定のリニアマトリクス係数９２には、マイクロソフト社等が提案するｓＲＧＢ、Ａｄｂｅ社の提案するＡｄｂｅ  ＲＧＢ、コダック社の提案するＰｒｏＰｈｏｔｏ  ＲＧＢ、富士写真フイルム社の提案するＦｉｎｅＰｉｘ  ＲＧＢ等がある。リニアＭＴＸ回路７６は、所定の色空間に変換した画像データをゲイン補正回路８０に出力する。
【００３０】
ホワイトバランス判定回路７８は、供給される画像データ５６を基にホワイトバランスを調整し、調整したホワイトバランスゲインが適正か否かを判定する機能を有している。ここでのホワイトバランスは、ディジタルカメラ１０において設定されている所定の色空間だけを最適化するように調整する。ホワイトバランス判定回路７８は、最適化の範囲内にあるか否かを判定し、範囲内にあるホワイトバランスゲイン９４をゲイン補正回路８０に出力する。また、ホワイトバランス判定回路７８は、このホワイトバランスゲイン９４を再生において撮影時の状況を反映する色温度情報として記録するためデータバス５８、ＩＦ部６８を介してストレージ３２に供給される。
【００３１】
ゲイン補正回路８０は、供給される画像データに対して供給されるホワイトバランスゲイン９４に基づいてゲインを補正し、ホワイトバランス調整を行う。ゲイン補正回路８０は、ガンマ補正回路８２に出力する。ガンマ補正回路８２は、非直線性の特性に合わせる補正機能である。ガンマ補正回路８２は、たとえばガンマ補正用のルックアップテーブルを含む。ガンマ補正回路８２は、メインメモリ６２から供給される画像データをルックアップテーブルのデータを用いて変換し、ガンマ補正する。ガンマ補正回路８２は補正した画像データをＲＧＢ補間回路８４に送る。
【００３２】
ＲＧＢ補間回路８４は、赤色（Ｒ），  緑色（Ｇ）および  青色（Ｂ）の３種類の色フィルタセグメントによるパターンに応じて供給される画像データに対して各画素の位置にて欠如している色属性の画素データを補間により生成する同時化機能を有している。ＲＧＢ補間回路８４は、色のパターンおよび分光感度特性も考慮に入れて補間係数を設定することが好ましい。ＲＧＢ補間回路８４は、ＲＧＢの三原色の画素データ９６，  ９８，  １００をＹＣ変換回路８６に送る。
【００３３】
ＹＣ変換回路８６は、供給される三原色ＲＧＢの画素データ９６，  ９８，  １００を基に輝度信号（Ｙ）１０２と画素データ９６，  ９８，  １００を３刺激値として用いて色信号（Ｃ）１０４とを生成する機能を有する。ＹＣ変換回路８６は、生成した輝度信号１０２を輪郭補正回路８８および色差ＭＴＸ回路９０に出力し、色信号１０４を色差ＭＴＸ回路９０に出力する。
【００３４】
輪郭補正回路８８は、供給される輝度信号１０２に含まれる画像中のエッジ部分を強調するアパーチャ補正機能を有する。輪郭補正回路８８は、輪郭の補正された輝度信号１０６をデータバス５８に出力する。色差ＭＴＸ回路９０は、供給される輝度信号１０２と色信号１０４とを基に演算して色差信号１０８をデータバス５８に出力する。この一連の処理は通常の圧縮記録モードの場合に行われる処理である。したがって、データバス５８を介して輝度信号１０６および色差信号１０８は、圧縮伸長処理回路６６に供給される。
【００３５】
画像データ５６は、生の画像データを記録するＲＡＷモードに対応してデータバス５８を介して信号線１１０の前段に供給されている。信号線１１０の前段には、図示しないモード選択回路が配設されている。モード選択回路は、通常の圧縮記録モードで圧縮処理の施された輝度信号および色差信号と、ＲＡＷモードで生の画像データ５６とが供給され、ディジタルカメラ１０がどのモードを採るかに応じて信号線１１０に供給する画像データを選択している。したがって、信号線１１０には、モードに応じた画像データが供給されることになる。
【００３６】
ＩＦ部６８には、信号線１１０を経た画像データ、色温度情報９４およびリニアマトリクス係数９２が供給される。図１や図２において、これらの信号は、まとめてバス１１２として表している。ＩＦ部６８は、供給される各種のデータの入出力にともなう電気的なレベル変換だけでなく、書込み／読出しも制御する機能を有する。書込み／読出し制御は、システム制御部２２から供給される制御信号７４に応じて行われる。ＩＦ部６８は、ストレージ３２に供給されるデータの書込みとストレージからの読出しを管理している。
【００３７】
ここで、後述する画像再生装置にない、ディジタル処理部６４に特徴的な回路を記録調整回路１１４とする。記録調整回路１１４は、リニアＭＴＸ回路７６、ホワイトバランス判定回路７８およびゲイン補正回路８０を含む。
【００３８】
なお、図示しないが、ディジタル処理部６４は、リニアＭＴＸ回路７６の前段にオフセット補正回路およびシェーディング補正回路を配設してもよい。オフセット補正回路は、画像データ５６に含まれるオフセット分を補正する機能を有し、シェーディング補正回路に出力する。シェーディング補正回路は、レンズの周辺で生じるシェーディング現象を電気的に補正する機能を有し、画像に現れるシェーディング特性の逆特性を施すことで補正を行う。
【００３９】
また、ＹＣ変換回路８４の後段にノイズ低減回路を配設してもよい。ノイズ低減回路は、供給される信号に含まれるノイズ成分を抑制するフィルタ機能を有している。ノイズ低減回路は、ローパスフィルタと、メディアンフィルタとを含む。ローパスフィルタは、輝度信号として供給される画素データと色信号の画素データに対してエリアシングが生じないように広い帯域にわたって信号を通す機能を有する。メディアンフィルタは、画像におけるエッジをぼかすことなく、雑音を減らす機能を有する。
【００４０】
図２に戻って、圧縮伸長処理部６６は、静止画や動画（ムービ）モードにおいて供給される画像データ（Ｙ／Ｃ）や色差データ等にＪＰＥＧ（Ｊｏｉｎｔ  Ｐｈｏｔｏｇｒａｐｈｉｃ  ｃｏｄｉｎｇ  Ｅｘｐｅｒｔｓ  Ｇｒｏｕｐ）やＭＰＥＧ（Ｍｏｖｉｎｇ  Ｐｉｃｔｕｒｅ  ｃｏｄｉｎｇ  Ｅｘｐｅｒｔｓ  Ｇｒｏｕｐ）−１，  ＭＰＥＧ−２等の規格でそれぞれ、圧縮処理を施す。圧縮伸長処理部６６は、圧縮処理した画像データをＩＦ部６８に供給する。ＩＦ部６８は、ストレージ３２のカード記録媒体との書込み／読出しにおける電気的な特性の調整および書込み／読出し制御を行うだけでなく、タイミング調整機能も有し、処理された画像データをストレージ３２に出力している。また、圧縮伸長処理部６６は、ストレージ部３２に記録した画像データを読み出し、ＩＦ部６８、データバス５８を介して供給される画像データに伸長処理を施す。この伸長処理は、圧縮処理の逆処理である。
【００４１】
表示制御部７０は、ディジタル処理部６４で生成した画像データや再生にともなってストレージ３２から読み出した画像データに伸長処理して得られた画像データ等に対してＲＧＢ変換を行い、このＲＧＢ変換した画像データをモニタ３０が表示可能な画素サイズにする機能を有している。表示制御部７０は、制御バス７２を介して供給される制御信号７４に応じて動作する。画像表示におけるサイズは、間引き処理によって破綻のない画像を生成する。表示制御部７２は、生成した画像データをモニタ３０に供給する。
【００４２】
なお、信号処理部２０は、図示しないが評価値算出部を含めてもよい。評価値算出部は、ＡＥ、ＡＦ、シャッタ速度、ＡＷＢ（Ａｕｔｏｍａｔｉｃ  Ｗｈｉｔｅ  Ｂａｌａｎｃｅ）および階調補正に用いる積算値を算出する演算機能等を備える。評価値算出部は、たとえばバス９２を介して算出された積算値をパラメータとしてシステム制御部２２に供給する。また、信号処理部２０には、タイミング信号発生器２６から図示しないタイミング信号が供給されている。このタイミング信号は、水平同期信号ＨＤ、垂直同期信号ＶＤや各部の動作クロック等を含んでいる。
【００４３】
システム制御部２２は、カメラ全体の汎用な部分やディジタル処理を行う部分を制御するマイクロコンピュータまたはＣＰＵ（Ｃｅｎｔｒａｌ  Ｐｒｏｃｅｓｓｉｎｇ  Ｕｎｉｔ）である。システム制御部２２は、図示しないが、シーン判別や所定の係数を格納するＥＥＰＲＯＭや動作手順の指示プログラムを格納するＲＯＭ（Ｒｅａｄ  Ｏｎｌｙ  Ｍｅｍｏｒｙ）等を含んでいる。システム制御部２２は、たとえば供給される積算値とあらかじめ設定した所定の積算値とを比較し、この比較結果に応じて制御信号１１６，  １１８をそれぞれ、生成してタイミング信号発生器２６およびドライバ２８に出力する。
【００４４】
システム制御部２２は、操作部２４から供給されるモードや操作のトリガを指示する指示信号１２０を受けて、指示信号１２０に応じてディジタルカメラ１０を静止画撮影モード、動画撮影モード、低感度モードおよび高感度モード等に設定し、図示しないレリーズシャッタボタンから撮像タイミングの報知を受けて、積算値に応じた制御信号７４，  １１６，  １１８をそれぞれ、生成する。
【００４５】
また、システム制御部２２は、制御信号７４で信号処理部２０を制御するだけでなく、たとえばディジタル処理部６４にリニアマトリクス係数９２を制御データとして供給している。制御信号７４は、図１に示すように、ディジタル処理部６４やＩＦ部６８に供給されている。とくに、ディジタル処理部６４は、リニアＭＴＸ回路７６、ホワイトバランス判定回路７８、ゲイン補正回路８０、ガンマ補正回路８２、ＲＧＢ補間回路８４、ＹＣ変換回路８６、輪郭補正回路８８および色差ＭＴＸ回路９０が制御信号７４により制御されている。
【００４６】
操作部２４は、図示しないがモード選択部およびレリーズシャッタボタンを含んでいる。モード選択部は、静止画撮影モードおよび動画撮影モード、ならびに低感度モードおよび高感度モード等のようにいくつかあるモードのうち、いずれのモードにするか選択を行う。モード選択部は、選択したモードを指示信号１２０としてシステム制御部２２に出力する。
【００４７】
レリーズシャッタボタンは、２段階のストロークを有するボタンで、第１段のストロークでディジタルカメラ１０を予備撮像の段階（Ｓ１）にし、第２段のストロークで本撮像の段階（Ｓ２）にするトリガタイミングを指示信号１２４としてシステム制御部２２に出力する。操作部２４には、この他、ズーム選択スイッチおよび十字ボタンを設けてもよく、液晶表示パネルに表示される条件を選択する機能を持たせてもよい。
【００４８】
タイミング信号発生器２６は、タイミング信号の動作周波数を生成する発振器（ＳＧ：  Ｓｉｇｎａｌ  Ｇｅｎｅｒａｔｏｒ）を含む。ＳＧは、制御信号１１６に応じて発振周波数を変える機能を有している。ＳＧは、たとえばとくに水平転送信号の生成において通常に使用する第１周波数とこの周波数の半分程度に低下させた第２周波数を発振するとよい。
【００４９】
また、タイミング信号発生器２６は、基準とするクロック信号（図示せず）を基に各種のタイミング信号を生成する。タイミング信号には、水平転送信号の他、垂直同期信号、水平同期信号、フィールドシフトパルス、垂直転送信号、および電子シャッタパルス等がある。また、タイミング信号発生器２４は、ＣＤＳパルス５２および変換クロック信号５４も生成して前処理部１８に供給している。タイミング信号発生器２６は、これら生成した垂直同期信号、水平同期信号、フィールドシフトパルス、垂直転送信号、水平転送信号および電子シャッタパルスを含むタイミング信号１２２をドライバ２８に供給している。
【００５０】
ドライバ２８は、供給されるタイミング信号１２２や制御信号１１８を基に駆動信号３４，  ３６，  ４４を生成する駆動回路を有している。ドライバ２８は、制御信号１１８を基に駆動信号３４，  ３６を光学系１２の光学レンズおよび絞り調節機構１４にそれぞれ供給してＡＦ調節やＡＥ調節を行わせる。ドライバ２８は、操作部２４のレリーズシャッタボタンから供給される本撮像のタイミングに応動してメカニカルシャッタの開閉を行う駆動信号３６を絞り調節機構１４に設けたメカニカルシャッタに出力する。
【００５１】
また、ドライバ２８は、タイミング信号１２２を基に生成した駆動信号４４を撮像部１６の固体撮像素子４２に供給し、各受光素子の感光領域に信号電荷を露光期間中に蓄積させ、蓄積した信号電荷を前述した条件に応じた制御により読み出す。ＣＣＤの場合、撮像部１６は、この信号電荷を垂直転送レジスタに読み出して、水平転送レジスタに転送させ、さらに水平転送レジスタ、出力アンプを経てアナログ電圧信号４６を出力している。
【００５２】
モニタ３０は、表示制御部７２を経て供給される画像データを表示する。モニタ３０には、一般的に液晶モニタが用いられる。液晶モニタには、液晶表示コントローラが配設されている。液晶コントローラは、画像データを基に液晶分子の並び方や電圧の印加によりスイッチング制御している。この制御により液晶モニタは、画像を表示する。モニタ３０は、液晶モニタに限定されず、小型、画像の確認および電力の消費が抑えられる表示機器であれば、十分に用いることができることは言うまでもない。
【００５３】
ストレージ３２は、半導体メモリ等を記録媒体として用いて、信号処理部２０からディジタル処理された画像データおよび何もディジタル処理の施されない画像データのいずれかとともに、リニアマトリクス係数９２および色温度情報であるホワイトバランスゲイン９４を記録する。記録媒体には、光ディスクや光磁気ディスク等を用いてもよい。ストレージ３２は、各記録媒体に適したピックアップやピックアップと磁気ヘッドを組み合わせて記録再生用ヘッドを用いてデータの書込み／読出しを行う。データの書込み／読出しは、システム制御部２２の制御信号７６に応じて行われる。
【００５４】
このようにディジタルカメラ１０は、記録する画像データ、ホワイトバランスゲイン（ホワイトバランス情報）の他に、リニアマトリクス係数（色空間変換情報）を付加して記録することにより、再生において撮影時のホワイトバランスを反映できるように情報を伝えることができる。
【００５５】
ストレージ３２の記録フォーマット１２４は、ヘッダ領域１２６と画像データ領域１２８を含む。ヘッダ領域１２６は、何番目の画像ファイルであるかを示すファイル情報１３０、撮影の日時を示す撮影時情報１３２、ホワイトバランスゲイン１３４およびリニアマトリクス係数１３６を含む。画像データ領域１２８は、モードに応じたデータが供給され、格納されている。
【００５６】
次に本発明の画像再生装置を適用した再生装置２００の構成について図４を用いて簡単に説明する。図４に示す再生装置２００は、ストレージ２０２、ＩＦ部２０４およびディジタル処理部２０６を含む。また、図示していないが、再生装置２００の動作を制御するシステム制御部を有することは言うまでもない。ストレージ２０２およびＩＦ部２０４は、基本的に、ディジタルカメラ１０の構成要素に同じである。同じ構成要素については、同じ説明を繰り返す煩雑さを回避するため説明を省略する。ストレージ２０２は、図示しない、記録媒体である半導体メモリに前述した記録フォーマット１２４で書き込まれたデータが読み出して、ＩＦ部２０４を介してディジタル処理部２０６に画像データ２０８、リニアマトリクス係数２１０およびホワイトバランスゲイン２１２を出力する。
【００５７】
ディジタル処理部２０６は、リニアＭＴＸ回路２１４，  ２１６、ゲイン補正回路２１８、ガンマ補正回路２２０、ＲＧＢ補間回路２２２、ＹＣ変換回路２２４、輪郭補正回路２２６および色差ＭＴＸ回路２２８を含む。再生装置２００のディジタル処理部２０６は、図１に示したディジタルカメラ１０のディジタル処理部６４と比較すると、リニアＭＴＸ回路２１４，  ２１６を２つ有する点と、ホワイトバランス判定回路７８がない点で異なり、ガンマ補正回路２２０〜色差ＭＴＸ回路２２８の構成が同じであることがわかる。
【００５８】
ストレージ２０２にディジタルカメラ１０にて書込みに使用した半導体メモリが装着され、この半導体メモリに記録された画像の内、ＲＡＷモードで記録された画像を再生する場合について説明する。リニアＭＴＸ回路２１４，  ２１６は、マトリクス演算機能を有する回路であり、リニアＭＴＸ回路２１４には、リニアマトリクス係数２１０が供給されている。読み出したリニアマトリクス係数２１０は、上述した再生する半導体メモリの条件からリニアマトリクス係数９２である。リニアＭＴＸ回路２１４は、リニアマトリクス係数９２に応じて撮影時に設定した色空間のＲＧＢに画像データを変換する。変換された画像データ２３０がゲイン補正回路２１８に供給される。
【００５９】
ところで、リニアＭＴＸ回路２１４を設けて、色空間の変換を行う理由は、次段のゲイン補正回路２１８がすでに撮影段階で設定した色空間に基づいてホワイトバランスを調整するようにホワイトバランスゲインを設定しているからである。ＲＡＷモードにおける画像データは、何等色空間の設定が考慮されていない画像データである。ここでのホワイトバランス調整は、ホワイトバランスゲイン２１２で調整しても、色空間が考慮されていない画像データのため、この画像データには結果的に、ホワイトバランスの崩れたゲイン調整が行われることになるからである。これを回避するため、リニアＭＴＸ回路２１４を設けて、ＲＡＷモードの画像データ２０８に対して色空間の設定を行っている。
【００６０】
ゲイン補正回路２１８には、半導体メモリから読み出した撮影時のホワイトバランスゲイン２１２が供給されている。ゲイン補正回路２１８は、画像データ２１４に対して撮影時のホワイトバランスゲイン２１２でゲインを調整する。リニアＭＴＸ回路２１４およびゲイン補正回路２１８を配設して処理することにより、これまでの一連の処理は、撮影時の色空間に応じた画像データにして、この画像データに対する最適なホワイトバランス調整が行われる。ゲイン補正回路２１６は、適切にホワイトバランス調整された画像データ２３２をリニアＭＴＸ回路２１６に供給する。
【００６１】
リニアＭＴＸ回路２１６は、再生装置２００においてユーザが所望の色空間に変換する機能を有する。このため、リニアＭＴＸ回路２１６には、所望の色空間に変換するリニアマトリクス係数２３４が供給される。この場合、すでにホワイトバランスを最適に調整した後での色の調整であることから、ホワイトバランスの崩れは起き難い。リニアＭＴＸ回路２１６は、所望の色空間に変換した画像データ２３６をガンマ補正回路２２０に出力する。
【００６２】
ガンマ補正回路２２０〜色差ＭＴＸ回路２２８までの処理は、ディジタルカメラ１０の対応する各部の処理手順に同じである。輪郭補正回路２２６は、エッジ強調された輝度信号２３８をＩＦ部２０４に送り、色差ＭＴＸ回路２２８は、生成した色差信号２４０をＩＦ部２０４に供給する。ＩＦ部２０４にはユーザが所望の色空間に変換された画像データおよびリニアマトリクス係数２３４をまとめたデータ２４２として供給される。ＩＦ部２０４は、ストレージ２０２の半導体メモリにデータ２４２を記録する。これにより、記録時に半導体メモリにおいて、記録フォーマットにおけるヘッダ領域１２６の内、リニアマトリクス係数に所望のリニアマトリクス係数２３４を書き込んでおくことが好ましい。再生装置２００の処理はソフトウェア的にプログラムで記述し、実行させてもＲＡＷモードにおける画像データに対して設定に基づくリニアマトリクス変換およびホワイトバランスの調整を行い、この後に所望の色空間変換を行っても、ホワイトバランスの崩れのない所望の画像を得ることができる。
【００６３】
また、構成上、再生装置２００に特有な回路を再生調整回路２４４とする。再生調整回路２４４には、リニアＭＴＸ回路２１４，  ２１６およびゲイン補正回路２１８を含む。
【００６４】
このように動作させることにより、とくに、ＲＡＷモードの画像データを再生する際にホワイトバランスの崩れが生じないように画像データを処理した上で、所望の色空間ＲＧＢに変換しているから、画像データを色空間の変換、すなわちリニアマトリクス変換しても、ホワイトバランスが保たれた所望の画像に再生することができる。
【００６５】
次にディジタルカメラ１０のディジタル処理部６４に再生装置２００の機能を備えた構成を図５に示す。ここで、共通する構成要素には、同じ参照番号を付して説明を省略する。図５のディジタル処理部６４は、図１に示した撮影処理に対応する記録調整回路１１４、図４に示した再生処理に対応する再生調整回路２４４、記録／再生切換スイッチ２４６ならびに記録・再生における共通処理回路２４８を含む。
【００６６】
記録／再生切換スイッチ２４６は、通常モードの記録と再生とを切り換える。記録／再生切換スイッチ２４６は、記録調整回路１１４からの出力端が端子ａ側に接続され、再生調整回路２４４からの出力端が端子ｂ側に接続され、システム制御部２２から供給される切換制御信号２５０に応じて供給元となる端子ａ，  ｂのいずれかを選択する。切換制御信号２５０は、操作部２４にて記録／再生のいずれかがユーザにより選択され、この選択に応じてシステム制御部２２に供給される指示信号１２０を基に生成される。
【００６７】
共通処理回路２４８は、記録および再生処理において、共通処理を行うガンマ補正回路８２、ＲＧＢ補間回路８４、ＹＣ変換回路８６、輪郭補正回路８８および色差ＭＴＸ回路９０を含む。輪郭補正回路８８および色差ＭＴＸ回路９０は、輝度信号と色差信号とをデータバス５８に供給する。このように構成することにより、回路構成を簡略化することができる。ＩＦ部６８は、制御信号７４の書込み／読出しの制御等に応じてデータ２５２のストレージ３２への書込み／読出しを制御する。
【００６８】
ここで、ディジタル処理回路６４の動作を簡単に説明する。ＲＡＷモードの場合、書込み／読出しにおいて画像データ５６、記録調整回路１１４から出力される色温度情報としてのホワイトバランスゲイン９４およびシステム制御部２２から供給されるリニアマトリクス係数９２がデータ２５２である。これら３つのデータがＩＦ部６８を介してストレージ３２に書き込まれる。
【００６９】
また、通常の圧縮モードの場合、画像データ５６は、記録調整回路１１４、記録／再生切換スイッチ２４６の端子ａおよび共通処理回路２４８を経て輝度信号および色差信号を生成する。これにより、ＩＦ部６８には、データ２５２として輝度信号および色差信号ならびにホワイトバランスゲイン９４が供給される。
【００７０】
ＲＡＷモードの記録されている画像データを再生する場合、データ２５２は、生の画像データ２０８、ホワイトバランスゲイン２１２およびリニアマトリクス係数２１０である。とくに、再生時における記録との対応関係を考慮すると、データ２５２は、生の画像データ５６、ホワイトバランスゲイン９４、リニアマトリクス係数９２に同じである。さらに、再生においてユーザは、所望の色空間に変換する場合、たとえば操作部２４で任意の色空間をあらかじめ設定しておく。システム制御部２２は、この設定を受けて、所望の色空間に変換するリニアマトリクス係数２３４をデータバス５８を介して再生調整回路２４４に供給する。
【００７１】
再生調整回路２４４は、所望の色空間に変換された画像データ２３６を記録／再生切換スイッチ２４６の端子ｂに出力する。記録／再生切換スイッチ２４６が再生に応じて端子ｂ側に切り換えられているから、共通処理回路２４８に供給される画像データ２３６は、輝度信号および色差信号に変換される。この場合も、通常の記録モードと同様に輝度信号および色差信号は、データバス５８を介してストレージ３２に記録される。ストレージ３２には、ホワイトバランスゲインおよびユーザが設定したリニアマトリクス係数２３４が記録フォーマットに従って記録される。
【００７２】
これにより、記録および再生機能を備えたディジタルカメラ１０においても、ホワイトバランス調整および色空間の変更を行うことによって、ホワイトバランスの崩れが生じる画像生成にともなう不具合を抑制することができる。とくに、ＲＡＷモードでの発生を抑える記録を行い、再生において記録における情報を有効に利用して画像を再生することにより、所望の色空間に変更してもホワイトバランスの崩れが生じ難い処理を行うことができ、良好な画像を再生し、記録することができる。
【００７３】
以上のように構成することにより、ＲＡＷモードにおいて生の画像データ５６、ホワイトバランスゲイン９４およびリニアマトリクス係数９２を記録することにより、再生において生じるホワイトバランスの崩れの防止に大いに貢献することができる。
【００７４】
また、再生においてＲＡＷモードで記録されたデータを読み出して生の画像データ２０８に読み出したリニアマトリクス係数２１０で撮像時における色空間の設定に対応した画像データ２３０にし、読み出したホワイトバランスゲイン２１２でゲイン補正して、画像データ２３０にホワイトバランス調整を施し、ユーザが所望の色空間にリニアマトリクス係数２３４によって変更することにより、所望の色空間に変更された画像にホワイトバランスの崩れを生じ難くし、良好な再生画像を提供することができる。
【００７５】
さらに、ディジタルカメラ１０のディジタル処理部６４において、とくにＲＡＷモードに対して記録にて生の画像データ５６およびホワイトバランスゲイン９４だけでなく、リニアマトリクス係数９２も記録し、再生にて生の画像データにリニアマトリクス係数９２、ホワイトバランスゲイン９４を順次用いて撮影時の色空間におけるホワイトバランス調整を行った上で、ユーザが所望の色空間に変更することにより、所望の色空間に変更された画像にホワイトバランスの崩れを生じ難くし、良好な再生画像を提供することができ、使い勝手が良好なシステムを提供することができる。
【００７６】
【発明の効果】
このように本発明の画像再生装置によれば、ＲＡＷモードで記録されたデータとして読出し手段にて生の撮像データである画像データ、色温度情報および第１の色空間情報を読み出し、第１の色空間補正手段で第１の色空間情報に応じて撮像時における色空間の設定に対応した画像データにし、色温度補正手段で色温度情報を基にゲイン補正して、供給された画像データにホワイトバランス調整を施し、第２の色空間補正手段でユーザが所望の色空間である第２の色空間情報に応じてホワイトバランス調整後の画像データを変更することにより、所望の色空間に変更された画像にホワイトバランスの崩れを生じ難くし、良好な再生画像を提供することができる。
【００７７】
また、本発明の固体撮像装置によれば、調整判定手段で色温度情報としてのゲイン調整情報を求め、ＲＡＷモードにおいて記録調整手段生の画像データ、ゲイン調整情報および撮影で設定されていた色空間情報を記録することにより、再生において生じるホワイトバランスの崩れの防止に大いに貢献することができる。
【００７８】
さらに、本発明の固体撮像システムによれば、システム制御手段の制御に応じて各制御対象を動作させて、調整判定手段でゲイン調整情報を求めて書込み／読出し手段に送り、書込み／読出し手段でＲＡＷモードに応じて生の撮像データ、ゲイン調整情報および撮影で設定されていた色空間情報を記録して、色空間情報を再生時に提供することができ、再生に応じて書込み／読出し手段を介して第１の色空間情報と色温度情報を読み出して、第１の色空間補正手段で第１の色空間に補正して、色温度補正手段で補正した画像データに色温度を補正して、撮影時に設定されていた色空間および色温度情報に対応した画像データにし、この補正後の画像データに第２の色空間補正手段で第２の色空間情報を基に色空間を変換して、再生した画像に生じるホワイトバランスの崩れを起こし難くすることにより、所望の色空間への画像変換を行っても得られる画像の色バランスをこれまで以上に確実に行うことができ、使い勝手が良好なシステムを提供することができる。
【図面の簡単な説明】
【図１】本発明の固体撮像装置を適用したディジタルカメラにおけるディジタル処理部の概略的な構成および記録に関する構成を示すブロック図である。
【図２】本発明の固体撮像装置を適用したディジタルカメラの概略的な構成を示すブロック図である。
【図３】図２のストレージに記録するデータのフォーマットを説明する図である。
【図４】本発明の画像再生装置を適用した再生装置の概略的な構成を示すブロック図である。
【図５】図２および図４のディジタル処理部の機能を併せ持つ最適な構成および記録に関する構成を示すブロック図である。
【符号の説明】
１０  ディジタルカメラ
１２  光学系
１４  絞り調節機構
１６  撮像部
１８  前処理部
２０  信号処理部
２２  システム制御部
２４  操作部
２６  タイミング信号発生器
２８  ドライバ
３０  モニタ
３２  ストレージ
６４  ディジタル処理部
７６  リニアマトリクス回路
７８  ホワイトバランス判定回路
８０  ゲイン補正回路
【図１】
2004320148.tif 000003
【図２】
2004320148.tif 000004
【図３】
2004320148.tif 000005
【図４】
2004320148.tif 000006
【図５】
2004320148.tif 000007